(57)【要約】【課題】  簡単かつ安価な構成で、キャビネットラックの耐震性能を高め、安全性と美観を改善する。【解決手段】  底枠４のコーナ部に４本のポスト５を立設する。各ポスト５の上端に天枠を取り付ける。底枠４とポスト５と天枠とによりキャビネットラックのフレームを構成し、フレームの内側に電気機器の収納室８を形成する。ポスト５に電気機器のケーブル類を配線するためのダクト部１０を設ける。ダクト部１０は、一枚の金属板をポスト５の長手方向に延びる折曲線１４で一方向に巻き回して形成される。ダクト部１０の周壁に、収納室８側へ開く縦長の配線用スリット１４を設け、ケーブル類の出し入れを容易にする。ダクト部１０のエッジをポスト５の内側に巻き込み、ポスト５の外面を平滑に形成する。【選択図】        図２
2014203997.tif 000002
【特許請求の範囲】
【請求項１】
底枠に４本のポストを立て、各ポストの上端に天枠を取り付け、底枠とポストと天枠とによりフレームを構成し、フレームの内側を電気機器の収納室としたキャビネットラックにおいて、
前記ポストが電気機器のケーブル類を通すダクト部を備え、ダクト部が一枚の金属板をポストの長手方向に延びる折曲線で一方向に巻き回して形成され、ダクト部の周壁に前記収納室側へ開く縦長の配線用スリットを設け、ポストの外面を平滑に形成したことを特徴とするフレーム構造。
【請求項２】
前記底枠の４つのコーナ部に、前記ダクト部の下端縁を差し込む係止溝が形成されている請求項１記載のフレーム構造。
【請求項３】
前記底枠が４本のレールを備え、各レールが金属板を折り曲げて形成され、溶接により相互に結合されている請求項２記載のフレーム構造。
【発明の詳細な説明】
【技術分野】
【０００１】
本発明は、各種電気機器を収納するキャビネットラックのフレーム構造に関する。
【背景技術】
【０００２】
従来、底枠に４本のポストを立て、各ポストの上端に天枠を取り付け、底枠とポストと天枠とでフレームを構成し、フレームの内側に電気機器の収納室を形成したキャビネットラックが知られている。例えば、特許文献１には、収納室の左右両側面を覆うパネルをフレームに着脱可能に取り付け、配線作業を容易にする技術が記載されている。
【０００３】
また、従来、ポストの内側に電気機器のケーブル類を配線する技術が知られている。例えば、特許文献２には、図５に示すように、ポスト５１を金属板で内側が開いた形状に折り曲げ形成し、ポスト５１の内面に別の金属板５２を接合し、この金属板５２の内側にケーブルＣを通す配線ダクト５３を形成したフレーム構造が提案されている。
【先行技術文献】
【特許文献】
【０００４】
【特許文献１】特開２００２−１８５１７０号公報
【特許文献２】特開２０１２−０８４６０５号公報
【発明の概要】
【発明が解決しようとする課題】
【０００５】
従来のフレーム構造によれば、ポスト５１を内側が開くように形成しているので、ケーブルＣを配線ダクト５３に容易に出し入れできる。しかし、一部が開いたポスト５１は、全周が閉じた中空管と比較して剛性が低下する。このため、従来は、配線ダクト５３をポスト５１と別の金属板５２で形成し、この金属板５２でポスト５１を補強し、ラックの耐震性能を高める必要があり、フレーム構造の製作コストが嵩むという問題点があった。
【０００６】
そこで、本発明の目的は、簡単かつ安価な構成で、キャビネットラックの耐震性能を高めることができるフレーム構造を提供することにある。
【課題を解決するための手段】
【０００７】
上記課題を解決するために、本発明のフレーム構造は、底枠に４本のポストを立て、各ポストの上端に天枠を取り付け、底枠とポストと天枠とによりフレームを構成し、フレームの内側を電気機器の収納室としたキャビネットラックにおいて、ポストが電気機器のケーブル類を通すダクト部を備え、ダクト部が一枚の金属板をポストの長手方向に延びる折曲線で一方向に巻き回して形成され、ダクト部の周壁に収納室側へ開く縦長の配線用スリットを設け、ポストの外面を平滑に形成したことを特徴とする。
【０００８】
また、本発明のフレーム構造は、ポストと底枠を強固に接続できるように、底枠の４つのコーナ部にダクト部の下端縁を差し込む係止溝が形成されていることを特徴とする。
【０００９】
さらに、本発明のフレーム構造は、底枠の軽量化を図るために、底枠が４本のレールで構成され、各レールが金属板を折り曲げて形成され、溶接により相互に結合されていることを特徴とする。
【発明の効果】
【００１０】
本発明のフレーム構造によれば、一枚の金属板を一方向に巻き回してダクト部を形成したので、簡単かつ安価な構成によってキャビネットラックの耐震性能を高めることができる。また、ダクト部のエッジをポストの内側に巻き込み、ポストの外面を平滑に形成し、扉を外した状態でフレームの前面開口部にエッジや凹凸部が露出しないようにして、キャビネットラックの安全性と美観を向上させることもできる。
【図面の簡単な説明】
【００１１】
【図１】本発明の一実施形態を示すフレーム構造の分解斜視図である。
【図２】図１のフレーム構造の水平断面図である。
【図３】ポストと底枠の接続構造を示す斜視図である。
【図４】底枠のコーナ部を詳細に示す平面図である。
【図５】従来のフレーム構造を示す要部水平断面図である。
【発明を実施するための形態】
【００１２】
以下、本発明の実施形態を図面に基づいて説明する。図１に示すように、この実施形態のキャビネットラック１は縦長箱形のフレーム２を備えている。フレーム２は、天枠３、底枠４、ポスト５、マウントアングル６およびマウントレール７から構成されている。フレーム２の内側には、電気機器を収納する収納室８が形成されている。フレーム２の前面は扉（図示略）で覆われ、上面、下面、側面、背面がそれぞれパネル（図示略）で覆われている。
【００１３】
ポスト５およびマウントアングル６は、それぞれ４本が天枠３と底枠４の間に立設されている。ポスト５は底枠４の４つのコーナ部に立設され、各ポスト５の上端に天枠３が取り付けられている。マウントアングル６は前後のポスト５の間に立設され、マウントレール７が前後のマウントアングル６に高さ調節可能に架設されている。
【００１４】
図２に示すように、ポスト５は一枚の金属板を折り曲げて形成されている。ポスト５には、電気機器のケーブルを通すためのダクト部１０が設けられるとともに、補強部１１がダクト部１０と連続するように一体形成されている。ダクト部１０は、金属板をポスト５の長手方向に延びる４本の折曲線１２で一方向へ直角に巻き回して形成されている。
【００１５】
補強部１１は、金属板を３本の折曲線１３でダクト部１０と反対方向へ直角に折り曲げて形成されている。そして、ダクト部１０の周壁に、縦長の配線用スリット１４が収納室８に向かって開放するように形成され、ポスト５の外面が平滑に形成されている。なお、マウントアングル６は、一枚の金属板を断面が略Ｓ字形となるように折り曲げられている。
【００１６】
図１、図３に示すように、底枠４は４本のレール１５で構成されている。各レール１５は金属板を折り曲げて形成され、両端が底枠４のコーナ部で隣接するレール１５に溶接により結合されている。底枠４の各コーナ部には、ダクト部１０の下端縁１６を差し込む複数の係止溝１７が形成され、係止溝１７によってポスト５の下端が底枠４に係止されている。
【００１７】
上記構成のフレーム構造によれば、一枚の金属板を一方向に巻き回してダクト部１０を形成したので、簡単かつ安価な構成でキャビネットラック１の耐震性能を高めることができる。また、ダクト部１０の周壁に内向きの配線用スリット１４を設けたので、図４に示すように、コードＣを収納部８からダクト部１０に収めたり、ダクト部１０から収納部８に取り出したりすることも容易にできる。さらに、ダクト部１０のエッジがポスト５の内側に巻き込まれているため、ラック１から扉を取り外したときに、フレーム２の前面開口部にエッジや凹凸部が露出しなくなる。したがって、扉を外した状態でも、キャビネットラック１を安全に使用できるとともに、美観を優れたものとすることができる。
【００１８】
なお、本発明は上記実施形態に限定されるものではなく、例えば、底枠４と同様に、天枠３の各コーナ部にポスト５の上端縁を差し込む係止溝を形成したり、マウントアングル６の断面形状を変更したりするなど、本発明の趣旨を逸脱しない範囲で、ラック各部の構成や形状を適宜に変更して実施することも可能である。
【符号の説明】
【００１９】
１    キャビネットラック
２    フレーム
３    天枠
４    底枠
５    ポスト
６    マウントアングル
８    電気機器の収納室
１０    ダクト部
１４    配線用スリット
１５    レール
１６    ダクト部の下端縁
１７    底枠の係止溝
【図１】
2014203997.tif 000003
【図２】
2014203997.tif 000004
【図３】
2014203997.tif 000005
【図４】
2014203997.tif 000006
【図５】
2014203997.tif 000007